(57)【要約】【課題】操作が簡便で操作性の良い除電除塵装置を提供すること。【解決手段】除電除塵装置１０の本体ケース１１（胴部１１ａ）には、照光ランプＬの点灯モードを設定するための点灯モード設定スイッチＳＷ２が設けられている。点灯モードは、トリガー１４のオン・オフに同期して照光ランプＬを点灯・消灯する同期点灯モードを含む。【選択図】図１
2010000486.tif 000002
【特許請求の範囲】
【請求項１】
手持ち部を有する形状をなす本体ケースと、
放電電圧を発生する電圧発生手段と、
前記本体ケース内に配設され前記放電電圧が印加されてイオンを発生する放電針と、
空気供給源から供給される空気を前記イオンとともに前記本体ケースの外に出射する空気出射手段と、
外部操作可能なトリガー部材と、
前記トリガー部材の外部操作に応じた制御信号を生成する信号生成手段と、
前記制御信号に応じて前記空気を出射・停止する出射制御手段と、
前記制御信号に応じて前記電圧発生手段による前記放電電圧の発生・停止を制御する放電制御手段と、
を有し、前記イオンを含む空気を前記本体ケースが向けられた除電除塵対象物に吹き付ける除電除塵装置であって、
前記本体ケースに設けられ、前記イオンの出射方向に沿った光を出射し、前記除電除塵対象物を照らす照光源と、
前記制御信号に応じて前記照光源を点灯及び消灯する点灯手段と、
を有することを特徴とする除電除塵装置。
【請求項２】
請求項１に記載の除電除塵装置において、
前記制御信号に応じて前記点灯手段により前記照光源を点灯及び消灯する同期点灯モードと、
前記制御信号に関わらず前記点灯手段により前記照光源を常時点灯又は常時消灯する独立点灯モードを備え、
前記同期点灯モード又は前記独立点灯モードを設定する点灯モード設定手段を有すること、
を特徴とする除電除塵装置。
【請求項３】
請求項１又は請求項２に記載の除電除塵装置において、
前記放電制御手段は、前記制御信号がオフしたときに前記放電電圧の発生を停止させ、
前記点灯手段は、前記制御信号がオフしてから第２の時間経過後に前記照光源を消灯すること、
を特徴とする除電除塵装置。
【請求項４】
請求項１乃至請求項３のうちの何れか一項に記載の除電除塵装置において、
前記点灯手段は、前記制御信号がオンしたときに前記照光源を点灯し、
前記放電制御手段は、前記制御信号がオンしてから第１の時間経過後に前記放電電圧を前記放電針に印加させること、
を特徴とする除電除塵装置。
【発明の詳細な説明】
【技術分野】
【０００１】
本発明は、除電除塵装置に関する。
【背景技術】
【０００２】
電子部品、フィルムの表面、塗装表面等の除電除塵対象物に付着した微細な塵を除去する装置として除電除塵装置が知られている。除電除塵装置は、放電針に高電圧を印加してコロナ放電を発生させ空気をイオン化させるとともに、このイオン化された空気を、除電除塵対象物に吹き付けることによって付着した微細な塵を除去する。
【０００３】
例えば、特許文献１に開示された除塵用エアガンは、イオン化装置にてイオン化されたエアを本体の中心に配設されたエアノズルから対象物に向けて吹き付けることができる。また、このエアガンは、照明用ランプハウスの光源から出射された光が光ファイバを介して本体に導かれ、本体の周辺に配設された照光部から対象物に向けて照射することができ、除塵状況を視認することができる。
【特許文献１】実開平５−１３５８８号公報
【発明の開示】
【発明が解決しようとする課題】
【０００４】
しかしながら、上記特許文献１に開示された除塵用エアガンは、エア噴射用のボタンと、照光用のボタンとが別々に設けられている。このため、作業者が作業するにあたり、別々に操作する必用がある。具体的には、グリップに２つのボタンが設けられており、グリップを握った状態で、別々にこれらのボタンを操作する必用がある。このため、作業を行いながら、ボタンを操作しなければならないので、操作が面倒であった。
【０００５】
本発明は上記問題点を解決するためになされたものであって、その目的は、操作が簡便で操作性の良い除電除塵装置を提供することにある。
【課題を解決するための手段】
【０００６】
上記目的を達成するため、請求項１に記載の発明は、手持ち部を有する形状をなす本体ケースと、放電電圧を発生する電圧発生手段と、前記本体ケース内に配設され前記放電電圧が印加されてイオンを発生する放電針と、空気供給源から供給される空気を前記イオンとともに前記本体ケースの外に出射する空気出射手段と、外部操作可能なトリガー部材と、前記トリガー部材の外部操作に応じた制御信号を生成する信号生成手段と、前記制御信号に応じて前記空気を出射・停止する出射制御手段と、前記制御信号に応じて前記電圧発生手段による前記放電電圧の発生・停止を制御する放電制御手段と、を有し、前記イオンを含む空気を前記本体ケースが向けられた除電除塵対象物に吹き付ける除電除塵装置であって、前記本体ケースに設けられ、前記イオンの出射方向に沿った光を出射し、前記除電除塵対象物を照らす照光源と、前記制御信号に応じて前記照光源を点灯及び消灯する点灯手段と、を有する。
【０００７】
この発明によれば、トリガー部材の外部操作により生成される制御信号に応じてイオンを発生するとともに照光源が点灯及び消灯されるため、余分な操作を必要とせず、操作が勘弁で操作性がよい。
【０００８】
請求項２に記載の発明は、請求項１に記載の除電除塵装置において、前記制御信号に応じて前記点灯手段により前記照光源を点灯及び消灯する同期点灯モードと、前記制御信号に関わらず前記点灯手段により前記照光源を常時点灯又は常時消灯する独立点灯モードを備え、前記同期点灯モード又は前記独立点灯モードを設定する点灯モード設定手段を有する。
【０００９】
この発明によれば、同期点灯モードに設定することで、トリガー部材の外部操作により照光源が点灯及び消灯される。そして、独立点灯モードに設定することで、任意のときに照光源を点灯させることができる。
【００１０】
請求項３に記載の発明は、請求項１又は請求項２に記載の除電除塵装置において、前記電圧印加手段は、前記制御信号がオフしたときに前記電圧の印加を停止し、前記点灯手段は、前記制御信号がオフしてから第２の時間経過後に前記照光源を消灯する。
【００１１】
この発明によれば、トリガー部材の外部操作に応じて先ずイオンの生成が停止されてから第２の時間の間照光源が点灯されるため、イオンを含む空気を吹き付けた場所の状態を確認することができる。
【００１２】
請求項４に記載の発明は、請求項１乃至請求項３のうちの何れか一項に記載の除電除塵装置において、前記点灯手段は、前記制御信号がオンしたときに前記照光源を点灯し、前記電圧印加手段は、前記制御信号がオンしてから第１の時間経過後に前記電圧を前記放電針に印加する。
【００１３】
この発明によれば、トリガー部材の外部操作に応じて先ず照光源が点灯した後にイオンが生成されるため、照光源の光を照射する位置を確認して確実にイオンを含む空気をその対象位置に吹き付けることができる。
【発明の効果】
【００１４】
本発明によれば、操作が簡便で操作性の良い除電除塵装置を提供することができる。
【発明を実施するための最良の形態】
【００１５】
以下、本発明を具体化した除電除塵装置の一実施形態を図面に従って説明する。
図１に示すように、除電除塵装置１０は、ガン（ピストル）形状をなし、その本体ケース１１は、筒形状の胴部１１ａと、その胴部１１ａの基端部から下方に延出形成された把手（手持ち部）１１ｂを有している。本体ケース１１の胴部１１ａは、先端部が先細形状に形成され、その先端に吐出口１２が開口形成され、その吐出口１２にはノズルＮが取着されている。ノズルＮは例えばステンレス等の金属よりなり、全体として円筒状に形成されている。そして、ノズルＮからイオンを含む空気が出射される。
【００１６】
胴部１１ａのノズルＮ側の側面には、照光源としての照光ランプＬが設けられている。照光ランプＬは、可視光線（例えば、白色光）を出射する光源（例えば発光ダイオード）よりなり、図３に示すように、ノズルＮからイオンを含む空気Ａを出射する方向に沿った可視光線Ｌｖを出射する。ノズルＮから出射した空気Ａを除電除塵対象物Ｗに吹き付けるとき、その除電除塵対象物Ｗの吹き付け場所Ｚにその可視光線Ｌｖを照射するように配置されている。
【００１７】
胴部１１ａの基端側側面には、電源スイッチＰＳＷ（図２参照）が配設されている。電源スイッチＰＳＷは作業者によってオン・オフされるスイッチであり、電源スイッチＰＳＷがオンされると除電除塵装置の後述する回路部に電源が供給され、電源スイッチＰＳＷがオフされると回路部に対する電源供給が停止される。
【００１８】
また、胴部１１ａの一側面（例えば除電除塵装置１０を作業者が右手で保持した場合における左側面）には、出射モード設定スイッチＳＷ１及び点灯モード設定スイッチＳＷ２が設けられている。出射モード設定スイッチＳＷ１は、空気Ａの出射モードを設定するためのスイッチである。点灯モード設定手段としての点灯モード設定スイッチＳＷ２は、照光ランプＬの点灯モードを設定するためのスイッチである。
【００１９】
なお、胴部１１ａの上面基端部には、環状の掛け止め１３が延出形成され、除電除塵装置１０を吊下する際に、フックやストラップなど（図示せず）に引っ掛けられるようになっている。
【００２０】
本体ケース１１の把手１１ｂには、トリガー部材としてのトリガー１４が設けられている。トリガー１４は、把手１１ｂに対して出没可能に支持されるとともに図示しない付勢部材によって突出方向に付勢されている。トリガー１４は把手１１ｂを握った手の指で押さえると、本体ケース１１内に没入して、図２に示す同ケース１１内に設けられた信号生成手段としてのトリガースイッチＳＷ３をオフからオンさせる。また、トリガー１４は、指をトリガー１４から離すと元の状態に復帰し、トリガースイッチＳＷ３はオンからオフになる。トリガースイッチＳＷ３は、自動復帰型のスイッチであって、トリガー１４が指で押されている間オン状態となり、指が離されると自動復帰してオフ状態になる。そして、トリガースイッチＳＷ３は、その状態に応じたレベルのトリガー信号ＳＧ１を制御信号として出力する。
【００２１】
上記のスイッチＳＷ１，ＳＷ２によるモードの設定について説明する。
上記したように、出射モード設定スイッチＳＷ１は、空気Ａの出射モードを設定するためのスイッチである。本実施形態において、出射モードは、連続出射モードと間欠出射モードを含む。連続出射モードは、トリガー１４によりトリガースイッチＳＷ３がオンされている間、空気Ａを連続的に出射するモードである。間欠出射モードは、トリガー１４によりトリガースイッチＳＷ３がオンされている間、空気Ａを間欠的に出射するモードである。
【００２２】
点灯モード設定スイッチＳＷ２は、照光ランプＬの点灯モードを設定するためのスイッチである。本実施形態において、点灯モードは、独立点灯モードと同期点灯モードを含む。独立点灯モードは回路部に電源が供給されている間、即ち、電源スイッチＰＳＷがオンされていから同スイッチＰＳＷがオフされるまでの間、照光ランプＬを点灯させるモードである。同期点灯モードは、トリガー１４のオン・オフに同期して照光ランプＬを点灯・消灯するモードである。
【００２３】
図２に示すように、本体ケース１１の胴部１１ａ内の基端部よりには、空気出射手段，出射制御手段としての電磁弁ユニット１５が設けられている。
電磁弁ユニット１５は、電磁弁１６と、電磁弁１６を駆動制御する電磁弁制御回路部１７を備えている。電磁弁１６は、その一端（上流側）に空気導入ホース１８が接続されている。空気導入ホース１８は、本体ケース１１の把手１１ｂ内を通って除電除塵装置１０の外部に設けた空気供給源１９に接続されている。空気供給源１９は、圧縮ポンプ及び蓄圧器等で構成され一定圧力の空気を供給する。従って、電磁弁ユニット１５（電磁弁１６）には、空気導入ホース１８を介して空気が空気供給源１９から供給される。
【００２４】
電磁弁１６の他端（下流側）には、空気流路管２０の基端部が連結され、その空気流路管２０の先端部は胴部１１ａの吐出口１２に取着した絶縁体よりなるノズルＮと対応する位置に固定されている。従って、電磁弁ユニット１５（電磁弁１６）は、空気導入ホース１８を介して、空気供給源１９から供給される空気を、空気流路管２０を介して、ノズルＮから噴出させる。即ち、電磁弁ユニット１５、空気導入ホース１８、空気流路管２０、ノズルＮは、空気供給源１９から導入される空気を本体ケース１１外に出射する空気出射手段を構成する。
【００２５】
詳述すると、電磁弁ユニット１５の電磁弁制御回路部１７は、電磁弁１６を駆動して電磁弁１６を開状態にすると、空気供給源１９から供給される空気を空気流路管２０に送出してノズルＮから噴出させる状態にすることができる。反対に、電磁弁制御回路部１７は、電磁弁１６を駆動して電磁弁１６を閉状態にすると、空気供給源１９からの一定圧力の空気を遮断し、ノズルＮから該空気の噴出を停止させる状態にすることができる。
【００２６】
ノズルＮは、例えばステンレス等の金属よりなる導電体であり、このノズルＮは後述する放電電圧生成ユニット２５と接続されて接地電極（対向電極）として機能する。ノズルＮ内には、円筒状に形成された絶縁体２１が配設されている。絶縁体２１は例えばセラミックよりなる。
【００２７】
空気流路管２０内であって絶縁体２１の近傍位置には、放電針２２が配置されている。放電針２２は、絶縁体よりなる間隔保持部材２３を介して空気流路管２０に支持固定されているとともに、空気流路管２０に対して電気的に絶縁されている。また、電磁弁１６から送出される空気は間隔保持部材２３で形成された空気流路管２０と放電針２２との間を介してノズルＮに流れる。
【００２８】
上記絶縁体２１は、例えばセラミックよりなる。絶縁体２１は、放電電極である放電針２２と接地電極（対向電極）として機能するノズルＮとの間の距離を短くするとともに、放電電極（放電針２２）と接地電極（ノズルＮ）との間の電位差を大きくしてコロナ放電を発生し易くするものであり、この絶縁体により除電除塵装置１０の小型化が可能となる。
【００２９】
そして、放電針２２に高周波高電圧の放電電圧Ｖが印加されると、放電針２２と筒状対向電極（ノズルＮ）との間にコロナ放電が発生し、このコロナ放電によりノズルＮ及び空気流路管２０内にある空気がプラス又はマイナスにイオン化される。本実施形態では、ノズルＮ及び空気流路管２０内をイオン生成室２４とする。従って、電磁弁１６が閉状態にある時、放電針２２とノズルＮとの間に高電圧の交流電圧が印加されると、イオン生成室２４内にプラス又はマイナスにイオン化された空気が生成され滞留する。そして、イオン生成室２４内に生成されたイオン化された空気が滞留している状態から電磁弁１６を開状態にすると、電磁弁ユニット１５（電磁弁１６）から一定圧力の空気が空気流路管２０（イオン生成室２４）内に送出される。これによって、イオン生成室２４内に滞留していたイオン化された全ての空気Ａは、ノズルＮから除電除塵対象物Ｗに向かって噴出される。
【００３０】
本体ケース１１の胴部１１ａ内には、電圧発生手段及び放電制御手段としての放電電圧生成ユニット２５が設けられている。放電電圧生成ユニット２５は、電圧発生手段としての圧電トランス２６と、圧電トランス２６を駆動制御する放電制御手段としての放電制御回路部２７を備えている。放電制御回路部２７は、本体ケース１１の把手１１ｂ内を通って伸びる配線２８を介して除電除塵装置１０の外部に設けた電圧電源２９に接続されている。放電制御回路部２７は、電圧電源２９からの電源電圧を圧電トランス２６に供給制御して、圧電トランス２６から高周波高電圧である放電電圧Ｖを放電針２２とノズルＮとの間に印加制御するようになっている。
【００３１】
本体ケース１１の胴部１１ａ内には、点灯制御ユニット３０が設けられている。点灯制御ユニット３０は、図４に示すように、点灯制御回路部３１、放電異常検出回路部３２及び異常判定回路部３３を含む。点灯制御ユニット３０は、点灯モード設定スイッチＳＷ２の設定に従って、照光ランプＬを点灯する。また、点灯制御ユニット３０は、異常判定回路部３３の判定結果に基づいて、照光ランプＬを通常の点灯態様と異なる点灯態様にて点灯させ、異常発生をユーザに報知する。
【００３２】
なお、除電除塵装置１０が接続された電圧電源２９（図２参照）から供給される電源電圧は、電源スイッチＰＳＷのオン時に、電磁弁ユニット１５及び点灯制御ユニット３０にも供給される。
【００３３】
次に、除電除塵装置１０の電気的構成について説明する。
図４に示すように、電磁弁ユニット１５に設けられた電磁弁制御回路部１７は、出射モード設定スイッチＳＷ１及びトリガースイッチＳＷ３に接続されている。出射モード設定スイッチＳＷ１は、空気Ａの出射モードを設定するスイッチである。電磁弁制御回路部１７は、設定された出射モードに従って電磁弁１６の開閉状態を制御する。従って、スイッチＳＷ１は、電磁弁１６の制御モードを設定するスイッチとして機能する。
【００３４】
電磁弁制御回路部１７は、トリガースイッチＳＷ３からオン・オフ状態に応じたレベルのトリガー信号ＳＧ１を入力する。電磁弁制御回路部１７は、トリガー信号ＳＧ１に応答して、出射モードに応じた開閉制御信号ＳＧ２を電磁弁１６に出力する。電磁弁１６は、開閉制御信号ＳＧ２に応答してオン（開状態）・オフ（閉状態）する。
【００３５】
詳述すると、電磁弁制御回路部１７は、出射モード設定スイッチＳＷ１により連続出射モードに設定されているとき、オンしたトリガースイッチＳＷ３のトリガー信号ＳＧ１に応答して電磁弁１６をオンする開閉制御信号ＳＧ２を出力し、オフしたトリガースイッチＳＷ３のトリガー信号ＳＧ１に応答して電磁弁１６をオフする開閉制御信号ＳＧ２を出力する。トリガースイッチＳＷ３は、作業者がトリガー１４を押えるとオンし、トリガー１４を離すとオフする。従って、電磁弁１６は、トリガー１４がオン操作されている間オンする。電磁弁１６がオンすると空気ＡがノズルＮから出射され、電磁弁１６がオフすると空気Ａの出射が停止される。従って、連続出射モードに設定された除電除塵装置１０は、トリガー１４がオン操作されている間、空気Ａを連続的に出射する。
【００３６】
また、電磁弁制御回路部１７は、出射モード設定スイッチＳＷ１により間欠出射モードに設定されているとき、トリガースイッチＳＷ３がオンした時のトリガー信号ＳＧ１に応答してパルス状の開閉制御信号ＳＧ２を出力し、トリガースイッチＳＷ３がオフした時のトリガー信号ＳＧ１に応答して電磁弁１６をオフする開閉制御信号ＳＧ２を出力する。電磁弁１６は、パルス状の開閉制御信号ＳＧ２に応答してオン・オフする。例えば、電磁弁１６は、Ｈレベルの開閉制御信号ＳＧ２に応答してオンし、Ｌレベルの開閉制御信号ＳＧ２に応答してオフする。トリガースイッチＳＷ３は、作業者がトリガー１４を押えるとオンし、トリガー１４を離すとオフする。従って、電磁弁１６は、トリガー１４がオン操作されている間、オン状態とオフ状態とを交互に繰り返す。電磁弁１６がオンすると空気ＡがノズルＮから出射され、電磁弁１６がオフすると空気Ａの出射が停止される。従って、間欠出射モードに設定された除電除塵装置１０は、トリガー１４がオン操作されている間、空気Ａを間欠的に出射する。
【００３７】
放電電圧生成ユニット２５に設けられた放電制御回路部２７は、トリガースイッチＳＷ３と接続され、トリガースイッチＳＷ３からオン・オフのトリガー信号ＳＧ１を入力する。放電制御回路部２７は、トリガー信号ＳＧ１に応答して圧電トランス２６に対する高周波電圧を供給又は停止する。詳述すると、放電制御回路部２７は、オンしたトリガースイッチＳＷ３のトリガー信号ＳＧ１に応答して圧電トランス２６の一次端子に高周波電圧を印加し、オフしたトリガースイッチＳＷ３のトリガー信号ＳＧ１に応答して圧電トランス２６に対する高周波電圧の供給を停止する。好手は電圧が供給された圧電トランス２６は、その２次端子から高周波高電圧の放電電圧Ｖを放電針２２と対向電極間に印加する。トリガースイッチＳＷ３は、作業者がトリガー１４を押えるとオンし、トリガー１４を離すとオフする。従って、放電制御回路部２７は、トリガー１４がオン操作されている間、高周波電圧を圧電トランス２６に供給する。従って、除電除塵装置１０は、トリガー１４がオン操作されている間、放電針２２に放電電圧Ｖを供給し、イオンを発生する。
【００３８】
点灯制御ユニット３０に設けられた点灯手段としての点灯制御回路部３１は、点灯モード設定スイッチＳＷ２からの選択信号を入力するとともに、トリガースイッチＳＷ３からトリガー信号ＳＧ１を。点灯モード設定スイッチＳＷ２は、照光ランプＬの点灯モードを設定するスイッチである。点灯制御回路部３１は、設定された点灯モードに従って照光ランプＬの点灯状態を制御する。
【００３９】
詳述すると、点灯制御回路部３１は、点灯モード設定スイッチＳＷ２により独立点灯モードが設定されているとき、図２に示す電源スイッチＰＳＷにより電源電圧が供給されると、図５（ａ）に示すように照光ランプＬを点灯する。そして、電源スイッチＰＳＷにより電源電圧の供給が停止されると照光ランプＬは消灯する。即ち、照光ランプＬは、除電除塵装置１０が使用可能な状態にあるときには常に点灯する。従って、作業者は、除電除塵装置１０を照光ランプＬから常時出射される可視光線Ｌｖを除電除塵対象物Ｗに照射することで、除電除塵対象物Ｗの状態、つまり除電除塵対象物Ｗに付着した塵埃を確認することができる。更に、作業者は、除電除塵装置１０から出射する空気Ａを除電除塵対象物Ｗに吹き付けた後、除電除塵対象物Ｗの状態、つまり塵埃の除去具合を確認することができる。
【００４０】
また、点灯制御回路部３１は、点灯モード設定スイッチＳＷ２により同期点灯モードが設定されているとき、オンしたトリガースイッチＳＷ３のトリガー信号ＳＧ１に応答して照光ランプＬを点灯・消灯する。詳しくは、図５（ｂ）に示すように、点灯制御回路部３１は、オンしたトリガースイッチＳＷ３のトリガー信号ＳＧ１に応答して照光ランプＬを点灯し、オフしたトリガースイッチＳＷ３のトリガー信号ＳＧ１に応答して照光ランプＬを消灯する。トリガースイッチＳＷ３は、作業者がトリガー１４を押えるとオンし、トリガー１４を離すとオフする。従って、照光ランプＬは、トリガー１４がオン操作されると点灯し、トリガー１４がオフ操作されると消灯する。即ち、点灯制御回路部３１は、トリガー１４の操作に同期して照光ランプＬを点灯・消灯する。
【００４１】
また、点灯制御回路部３１は、異常判定回路部３３からの放電異常信号ＳＧ３に応答して照光ランプＬの点灯態様を変更する。異常判定回路部３３は放電異常検出回路部３２に接続されるとともに、トリガースイッチＳＷ３に接続されている。放電異常検出回路部３２は、放電針２２と対向電極（ノズルＮ）との間にかかる放電電圧Ｖを検出抵抗Ｒに流れる電流値から検出しその検出結果を異常判定回路部３３に出力する。異常判定回路部３３は、放電異常検出回路部３２が検出した放電針２２と対向電極（ノズルＮ）との間にかかる電圧値に基づいて、トリガー１４がオン操作されているときに何らかの原因で、途中で放電針２２とノズルＮ間に放電電圧Ｖが印加されなくなったとき、イオンが生成されていないとして、放電異常信号ＳＧ３を、点灯制御回路部３１に出力する。ようになっている。
【００４２】
点灯制御回路部３１は、異常を示す放電異常信号ＳＧ３を入力すると、上記２つのモードによる点灯態様と異なる点灯態様（第３の点灯態様）にて照光ランプＬを制御する。例えば、点灯制御回路部３１は、第３の点灯態様として、所定の間隔で照光ランプＬを点滅制御する。作業者は、照光ランプＬが点滅することで、異常を確認することができる。
【００４３】
しかも、照光ランプＬの可視光線Ｌｖは、図３に示すように、除電除塵対象物Ｗのイオン化した空気Ａが吹き付けられる場所Ｚに照射される。従って、場所Ｚが明暗するため、作業者は、除電除塵対象物Ｗの吹き付け箇所を注視している状態であっても、照光ランプＬの点滅を容易に認識し、異常状態を速やかに気づくことができる。
【００４４】
次に、上記のように構成した実施形態の効果を以下に記載する。
（１）除電除塵装置１０の本体ケース１１（胴部１１ａ）には、照光ランプＬの点灯モードを設定するための点灯モード設定スイッチＳＷ２が設けられている。点灯モードは、トリガー１４のオン・オフに同期して照光ランプＬを点灯・消灯する同期点灯モードを含む。従って、トリガー１４の外部操作により生成されるトリガー信号ＳＧ１に応じてイオンを発生するとともに照光ランプＬが点灯及び消灯されるため、余分な操作を必要とせず、操作が簡便で操作性を良くすることができる。
【００４５】
（２）照光ランプＬは、ノズルＮからイオンを含む空気Ａを出射する方向に沿った可視光線Ｌｖを出射する。ノズルＮから出射した空気Ａを除電除塵対象物Ｗに吹き付けるとき、その除電除塵対象物Ｗの吹き付け場所Ｚにその可視光線Ｌｖを照射するように配置されている。従って、イオンを含む空気Ａを吹き付ける場所Ｚに可視光線Ｌｖが照射されるため、イオンを含む空気Ａを吹き付ける場所を確認しながら除電除塵装置１０の姿勢を制御することができる。
【００４６】
（３）照光ランプＬの点灯モードは、同期点灯モードと、回路部に電源が供給されている間照光ランプＬを点灯させる独立点灯モードを含む。従って、同期点灯モードに設定することで、イオンを含む空気Ａの出射を制御するトリガー１４の外部操作により照光ランプＬが点灯及び消灯するため、簡単な操作で除電除塵対象物に可視光線Ｌｖを照射することができる。そして、独立点灯モードに設定することで、トリガー１４の外部操作に係わらず照光ランプＬが点灯しているため、照光ランプＬを点灯させる手間を省くことができ、除電除塵装置１０の操作が簡略化される。
【００４７】
（４）放電異常などの異常が発生した場合には、照光ランプＬを点滅させるようにした。照光ランプＬは、ノズルＮから出射したイオンを含む空気Ａを除電除塵対象物Ｗに吹き付けるとき、その除電除塵対象物Ｗの吹き付け場所Ｚにその可視光線Ｌｖが照射されるように配置されている。従って、除電除塵作業中に、作業者は、空気Ａを吹き付ける除電除塵対象物Ｗの吹き付け場所Ｚを注視しているため、照光ランプＬの表示の態様の変化を見逃すことなく異常を確認することができる。
【００４８】
（５）出射モード設定スイッチＳＷ１により間欠出射モードに設定したときに、トリガー１４をオン操作することによって、放電針２２印加した放電電圧Ｖによりイオンを生成し、電磁弁１６を開閉動作させるようにした。従って、イオンを含む空気Ａを、周期的に強弱を加えて除電除塵対象物Ｗに吹き付けることができ、除電除塵対象物Ｗに付着した塵を効率よく除去することができる。
【００４９】
尚、上記実施形態は以下のように変更してもよい。
・上記実施形態では、点灯モード設定スイッチＳＷ２により独立点灯モードを設定した場合に、電源電圧の供給に従って照光ランプＬを点灯させるようにしたが、照光ランプＬを消灯させるようにしてもよい。例えば、本体ケース１１に手動点灯スイッチＳＷ４を備える。そして、点灯モード設定スイッチＳＷ２により独立点灯モードを設定可能とする。即ち、点灯制御回路部３１は、独立点灯モードに設定した場合、図６に示すように、手動点灯スイッチＳＷ４のオン時に照光ランプＬを点灯し、手動点灯スイッチＳＷ４のオフ時に照光ランプＬを消灯する。
【００５０】
このように、手動点灯スイッチＳＷ４を備えることで、作業者に応じて、又は作業に応じて照光ランプＬを点灯させて除電除塵対象物Ｗにおいて空気Ａを吹き付ける場所Ｚの状態を確認することができる。例えば、日中や，太陽光や作業場の照明の光が届き易い場所での作業時には照光ランプＬを消灯させ、夜間や光が届きにくい場所での作業時には照光ランプＬを手動にて点灯させることで、無駄な電力消費が抑えられる。
【００５１】
尚、点灯モード設定スイッチＳＷ２により設定可能な点灯モードを、独立点灯モードと同期点灯モードと独立点灯モードの３つとすること、同期点灯モードと独立点灯モードの２つとすること、独立点灯モードと独立点灯モードの２つとすること、上記点灯モードのうちの少なくとも１つと他の点灯モードを設定可能とすること等、適宜変更してもよい。
【００５２】
また、点灯モード設定スイッチＳＷ２と手動点灯スイッチＳＷ４とを１つのスイッチとするようにしてもよい。
・上記実施形態では、電源スイッチＰＳＷを備え、該スイッチＰＳＷがオンされて電源電圧が供給されている間、照光ランプＬを点灯させる常時点灯モードを備えたが、電源電圧が供給されている間照光ランプＬが点灯すればよく、電源スイッチＰＳＷを省略してもよい。
【００５３】
・上記実施形態に対して、同期点灯モードにおいて、放電制御回路部２７は、オンしたトリガースイッチＳＷ３のトリガー信号ＳＧ１を入力してから第１の時間経過した後に放電電圧Ｖを放電針２２に供給してイオンを発生させるようにしてもよい。この場合、トリガー信号ＳＧ１に応答してイオンを発生させて空気Ａを外部に出射する前に、点灯制御回路部３１が照光ランプＬを点灯するため、空気Ａを吹き付ける場所Ｚを確定してから空気Ａをその場所Ｚに吹き付けることができる。
【００５４】
・上記実施形態に対して、同期点灯モードにおいて、点灯制御回路部３１は、オフしたトリガースイッチＳＷ３のトリガー信号ＳＧ１を入力してから第２の時間経過した後に照光ランプＬを消灯させるようにしてもよい。この場合、トリガー信号ＳＧ１に応答してイオンを含む空気Ａの出射を停止した後も第２の時間照光ランプＬが点灯するため、空気Ａを吹き付けた場所Ｚの状態を容易に確認することができる。
【００５５】
・上記実施形態におけるスイッチＳＷ１，ＳＷ２の形状を適宜変更してもよい。例えば、ロータリスイッチによりモード選択を可能としてもよい。
・上記実施形態では、照光ランプＬの異常表示を、一色（白色）の可視光線Ｌｖによる点灯、消灯または点滅等の点灯状態の変更で行った。これを、複数の異なる色の照光ランプＬを用意し、色を変更するスイッチ又はモードを備えるようにしてもよい。
【００５６】
・上記実施形態では、可視光線Ｌｖを出射する照光ランプＬを備えたが、除電除塵対象物に付着した微細な塵を認識可能な光、例えば紫外光線を出射する照光ランプを備える構成としてもよい。また、可視光線を出射する照光ランプと紫外光線を出射する照光ランプとを備え、それらを切り換えて使用する構成としてもよい。
【００５７】
・上記実施形態では、放電電圧Ｖの異常についてのみ、異常判定回路部３３が検出し、照光ランプＬにて異常報知するようにした。これを、その他の異常、例えば、電磁弁１６が正常に開閉動作されていないことを検出して、照光ランプＬにて報知するようにしてもよい。この場合、異常箇所に応じて点灯態様を変更して実施してもよい。
【００５８】
・上記実施形態では、電源スイッチＰＳＷと出射モード設定スイッチＳＷ１と点灯モード設定スイッチＳＷ２とを備える構成としてが、電源スイッチＰＳＷの機能を、出射モード設定スイッチＳＷ１又は点灯モード設定スイッチＳＷ２に持たせるようにしてもよい。
【００５９】
・上記実施形態では、ノズルＮの出射口は、ストレートの貫通孔よりなる１つ出射口であったが、これに限定されるものではなく、例えば、内径の短い出射口を複数形成して、シャワーのように各出射口から空気Ａを出射するタイプにノズル等を使用して実施せてもよい。
【００６０】
・上記実施形態では、出射モード設定スイッチＳＷ１にて間欠出射モードと連続出射モードとを設定可能としたが、間欠出射モードの設定時に、電磁弁１６のオン時間、電磁弁１６のオフ時間、電磁弁１６の制御間隔を変更するようにしてもよい。また、電磁弁１６をオン・オフ制御する間隔、開閉制御信号ＳＧ２が異なる複数の間欠モードのうちの１つを設定可能としてもよい。
【図面の簡単な説明】
【００６１】
【図１】除電除塵装置の斜視図。
【図２】除電除塵装置の断面図。
【図３】照光ランプの照射状態を示す説明図。
【図４】除電除塵装置の電気的構成を示す電気ブロック回路図。
【図５】（ａ）（ｂ）は除電除塵装置の動作を説明するためのタイムチャート。
【図６】除電除塵装置の動作を説明するためのタイムチャート。
【符号の説明】
【００６２】
１０…除電除塵装置、１１…本体ケース、１１ａ…胴部、１１ｂ…把手、１２…吐出口、１４…トリガー、１５…電磁ユニット、１６…電磁弁、１７…電磁弁制御回路部、１８…空気導入ホース、１９…空気供給源、２０…空気流路管、２２…放電針、２４…イオン生成室、２５…放電電圧生成ユニット、２６…圧電トランス、２７…放電制御回路部、３０…点灯制御ユニット、３１…点灯制御回路部、Ａ…空気、Ｌ…照光ランプ、Ｌｖ…可視光線、ＳＧ１…トリガー信号（制御信号）、ＳＷ１…出射モード設定スイッチ、ＳＷ２…点灯モード設定スイッチ、ＳＷ３…トリガースイッチ、ＰＳＷ…電源スイッチ、Ｖ…放電電圧、Ｗ…除電除塵対象物、Ｚ…場所。
【図１】
2010000486.tif 000003
【図２】
2010000486.tif 000004
【図３】
2010000486.tif 000005
【図４】
2010000486.tif 000006
【図５】
2010000486.tif 000007
【図６】
2010000486.tif 000008